(57)【特許請求の範囲】
【請求項１】
洗濯物が収容される乾燥ドラムと、
前記乾燥ドラムにリベット結合する下ハウジングと、
前記下ハウジングに安着する上ハウジングと、
前記上ハウジングと前記下ハウジングとの間に挿入されるベアリング及び前記ベアリングと結合され、前記上ハウジングから先端が露出するシャフトを含むジャーナルベアリングと、
前記上ハウジングの上外側を覆うとともに、前記シャフトに挿入されるシーリング部材と、
を含み、
前記ベアリングは、外周面に前記シャフトの軸方向と平行に形成されるオイルグルーブを含み、
前記シーリング部材は、金属素材の原型にゴム素材のシーリング部材をインサート射出により成形してなり、前記上ハウジング及び前記下ハウジングの内周に付着した潤滑材が前記シャフトの外周に沿って漏れることを防止する内部幕と、該内部幕と共に層を形成しオイルの漏れを二重に遮断する外部幕と、からなることを特徴とする、
洗濯物乾燥のための乾燥機のドラム支持構造。
【請求項２】
前記下ハウジングは前記ベアリングが安着するための凹部を備えたベアリング安着部を含むことを特徴とする、請求項１に記載の乾燥機のドラム支持構造。
【請求項３】
前記下ハウジングは所定の高さで折り曲げられ、前記上ハウジングと締結する締結端を少なくとも一つ以上含むことを特徴とする、請求項１に記載の乾燥機のドラム支持構造。
【請求項４】
前記締結端は内側に締結部材が挿入されるための締結孔を少なくとも一つ以上含むことを特徴とする、請求項３に記載の乾燥機のドラム支持構造。
【請求項５】
前記締結端は下ハウジングの縁から放射状にさらに延長されることを特徴とする、請求項３に記載の乾燥機のドラム支持構造。
【請求項６】
前記上ハウジングは前記ベアリングが収容されるベアリング収容部を含むことを特徴とする、請求項１に記載の乾燥機のドラム支持構造。
【請求項７】
前記上ハウジングは上側に所定の高さで延長され前記シャフトが挿入される支持スリーブを含むことを特徴とする、請求項１に記載の乾燥機のドラム支持構造。
【請求項８】
前記上ハウジングは締結部材が貫通する締結孔を少なくとも一つ以上含むことを特徴とする、請求項１に記載の乾燥機のドラム支持構造。
【請求項９】
前記上ハウジングまたは前記下ハウジングは内側に所定の高さで突出する仮締結突起と、
前記仮締結突起が挿入されるための挿入孔を含むことを特徴とする、請求項１に記載の乾燥機のドラム支持構造。
【請求項１０】
前記仮締結突起は少なくとも二つ以上形成されることを特徴とする、請求項９に記載の乾燥機のドラム支持構造。
【請求項１１】
前記挿入孔は前記仮締結突起の個数と同じ若しくはそれ以上形成されることを特徴とする、請求項９に記載の乾燥機のドラム支持構造。
【請求項１２】
前記上ハウジングは、下ハウジングとの間にインナーシールを安着するためのインナーシール安着部を含むことを特徴とする、請求項１に記載の乾燥機のドラム支持構造。
【請求項１３】
前記インナーシールが丸形であることを特徴とする、請求項１２に記載の乾燥機のドラム支持構造。
【請求項１４】
前記インナーシールはフェルト素材であることを特徴とする、請求項１２又は１３に記載の乾燥機のドラム支持構造。
【請求項１５】
前記ベアリングは前記シャフトの外周面にインサート射出により結合することを特徴とする、請求項１に記載の乾燥機のドラム支持構造。
【請求項１６】
前記シャフトはナットが挿入されるため、外周面にネジ山が形成されることを特徴とする、請求項１に記載の乾燥機のドラム支持構造。
【請求項１７】
前記上ハウジング及び／または前記下ハウジングの内周面に潤滑油が塗布されることを特徴とする、請求項１に記載の乾燥機のドラム支持構造。
【発明の詳細な説明】
【技術分野】
【０００１】
本発明は乾燥機に関し、より詳しくは、ドラムが乾燥機キャビネット内で摩擦なしで回転できるようにし、さらに、前記ドラムがキャビネットに支持され水平を維持できるようにするドラム支持構造に関する。
【背景技術】
【０００２】
一般的に、ドラム式乾燥機は、電気ヒーターやガス燃焼装置などにより発生する熱風をドラム内に送風して、乾燥対象物の残存水分を蒸発させることにより、乾燥対象物を乾燥させる家電機器である。
【０００３】
詳しくは、前記ドラム式乾燥機は、その方式により凝縮式と排気式に大別される。より詳しくは、凝縮式ドラム乾燥機は、乾燥ドラム内に流入した空気が乾燥機外に排出されず、乾燥機内を循環することで乾燥過程が行われる方式である。そして、排気式ドラム乾燥機は、乾燥ドラム内に流入した空気が乾燥対象物から水分を吸収してから、乾燥機外に排出される方式である。
【０００４】
また、前記排気式ドラム乾燥機は、乾燥ドラム内に流入する空気を加熱するヒーターの種類によりガス式と電気式に更に分けられる。詳しくは、ガス式乾燥器は、前記乾燥ドラム内に流入する空気を加熱するためのヒーターが炉（ｆｕｒｎａｃｅ）、点火器及びフレームセンサーのような構成要素を備え、前記炉内でガスが燃焼される。そして、燃焼されるガスから発生する熱によって乾燥ドラム内に流入する空気が加熱される。また、電気式乾燥器は、前記乾燥ドラム内に流入する空気を加熱するためのヒーターが多数回巻いた熱線からなる。そして電源を印加すれば、前記ヒーターから熱が発生し、その熱は前記ヒーターを通過する空気に伝達されて高温に加熱され、加熱された空気がドラム内に流入し乾燥対象物を乾燥させる方式である。
【０００５】
一方、従来の乾燥機の場合、ドラムの前面部はフロントカバーにドラムの端部内周面が安着されることで支持され、ドラムの背面部は中心部に装着されるベアリング構造が乾燥機のバッグカバーに連結されることで支持される。
【０００６】
しかし、従来の乾燥機ドラム支持構造はドラムが回転しながら揺れる時前記ベアリングが振動を容易に吸収できない短所がある。従って、ドラムの回転過程で発生する振動が乾燥機全体に伝達され乾燥機が底から揺れる現象が発生する。
【０００７】
尚、前記ベアリング部に付いている潤滑油が外部に漏れてドラム後面が汚れ、潤滑油の一部が付いて洗濯物が汚れる現象が起きることもある。
【０００８】
さらに、前記ベアリングの潤滑油が漏れることで、ドラムの回転時にドラムとベアリングとの間に摩擦力が増加しベアリング部が損傷を受け、ドラムの回転が円滑に行われない短所がある。
【発明の開示】
【発明が解決しようとする課題】
【０００９】
本発明は、前記のような問題を解決するため提案されたもので、ドラム後壁の支持構造を改善することで、ドラムの回転時に発生する振動が容易に吸収され乾燥機が底部から揺れることを除去できる乾燥機のドラム支持構造を提供することを目的とする。
【００１０】
また、本発明は、ドラム後壁の支持構造を改善することでベアリング外に潤滑油が漏れる現象を防止し、ベアリングとドラム後壁との間の摩擦力を減少させドラムの回転が円滑に行われるようにする乾燥機のドラム支持構造を提供することを目的とする。
【課題を解決するための手段】
【００１１】
前記目的を達成するため、本発明に係る乾燥機は、洗濯物を収容する乾燥ドラムと、前記乾燥ドラムの後壁にリベット（ｒｉｖｅｔ）結合される下ハウジングと、前記下ハウジングの上側に安着する上ハウジングと、前記上ハウジングと前記下ハウジングとの間に挿入される球形のベアリングと前記ベアリングと結合するシャフトが含まれるジャーナルベアリングと、を含む。
【００１２】
また、他の側面において、本発明に係る乾燥機はシャフトと前記シャフトの外周面にインサート射出によって結合するベアリングが含まれる支持部材と、前記支持部材の一部を包んで、内側に所定の高さで突出するブロック部と所定の深さで陥没する陥没部が含まれるハウジングと、前記ハウジングのいずれかの一側に被せられるアウターシールと、前記支持部材の外側に挿まれてオイルの漏れを防止するインナーシールと、を含む。
【００１３】
また、他の側面において、本発明に係る乾燥機のドラム支持構造は、ハウジングと、前記ハウジング内に収容されインサート射出により形成されるベアリング部材と、前記ハウジング内側に挿入され摩擦及び騒音を防止するインナーシールと、前記ハウジングの外側に安着しオイルの漏れを防止するアウターシールと、を含む。
【発明の効果】
【００１４】
前記のような構成により、本発明に係る乾燥機は、乾燥ドラムの回転過程で発生する振動が容易に吸収され、乾燥機が揺れる現象が除去される効果がある。
【００１５】
さらに、乾燥ドラムを支持するベアリング部から潤滑油が漏れないので、洗濯物が汚れない効果がある。
【００１６】
尚、乾燥ドラムが回転する過程で前記乾燥ドラムとベアリングとの間に発生する摩擦力が低減され乾燥ドラムの回転が円滑に行われる。また、乾燥ドラムの回転が円滑に行われることで、前記ベアリング部及び乾燥ドラムを駆動するモーターの寿命が長くなる効果もある。
【発明を実施するための最良の形態】
【００１７】
以下、図面に基づき、本発明の具体的な実施例を詳細に説明する。しかし、本発明の思想は後述の実施例に制限されるものではなく、他の構成要素の追加、変更、削除などにより、他の発明や本発明の思想の範囲内に含まれる他の実施例を容易に制限することができる。
【実施例】
【００１８】
図１は本発明に係る凝縮式ドラム乾燥機を概略的に示す断面図である。
【００１９】
図１を参照すれば、本発明に係る凝縮式ドラム乾燥機３０は外観を形成するキャビネット１０と、前記キャビネット１０の内に形成される円筒状のドラム１００と、前記ドラム１００の前面部に装着され前記ドラム１００の入口を開閉するドア１３と、前記ドラム１００の外周面を囲んで前記ドラム１００を回転させるベルト１１と、前記ドラム１００の後側を前記乾燥機３０のキャビネット１０が支持するようにするジャーナルベアリング４００を含む。ここで、前記ドラム１００の前面部は前記キャビネット１０の前面部によって支持される。
【００２０】
さらに、前記乾燥機３０は、前記ベルト１１と連結されるモーター軸２１と、前記モーター軸２１と連結され前記ベルト１１に回転力を提供するモーター１７と、前記モーター軸２１に連結され前記モーター１７の回転力を受け回転しながら室内空気を吸入する冷却ファン１６を含む。
【００２１】
なお、前記乾燥機３０は前記冷却ファン１６の向かい側で前記モーター軸２１と連結されドラム内の空気を循環させる乾燥ファン１８と、前記乾燥ファン１８により吸入された空気が前記ドラム１００に移動する通路として、内部に発熱部２０が装着された乾燥ダクト１９を含む。
【００２２】
また前記乾燥機３０は、前記ドア１３の背面に形成され前記ドラム１００から排出される湿空気に含まれた毛羽などをフィルタリングするドアリントフィルター１４と、前記ドアリントフィルター１４を通過した湿空気をもう一度フィルタリングするボディーリントフィルター１５ａと、前記ボディーリントフィルター１５ａを通過した空気が凝縮機（図示せず）に移動する通路である循環ダクト１５をさらに含む。
【００２３】
以下は、前記乾燥機３０の作動について説明する。
【００２４】
まず、前記乾燥機３０に電源を印加すると、前記モーター１７が回転し、また前記乾燥ダクト１９内に部着されたヒーター２０が加熱される。そして、前記モーター軸２１に連結されたベルト１１が回転し前記ドラム１００を回転させるようになる。詳しくは、前記ドラム１００は前記ドラム支持部２００を回転軸として回転するようになる。そして、前記ドラム１００が回転することによってドラム１００内にある乾燥対象物が前記ドラムの内壁に沿って共に回転し、最上側部にいたると自重により落下する。ここで、前記乾燥対象物は前記ドラム１００の内壁に部着されたリフト（図示せず）により上昇する。
【００２５】
一方、前記モーター軸２１に連結された乾燥ファン１８がモーター１７の回転と共に作動し、前記凝縮機を通過した循環空気が吸入される。前記吸入された循環空気は前記乾燥ダクト１９に沿って上昇しながら前記発熱部２０を通過して高温乾燥の状態になる。そして前記高温乾燥の状態になった循環空気は前記ドラム１００内を通過しながら乾燥対象物に存在する水分を吸収し、高温多湿の状態になる。
【００２６】
さらに、前記高温多湿の状態の空気はまた前記ドアリントフィルター１４及び前記ボディーリントフィルター１５ａを通過しながら異物質がフィルタリングされてから、前記循環ダクト１５に沿って凝縮機に移動する。
【００２７】
なお、前記モーター軸２１に連結された冷却ファン１６が回転しながら前記乾燥機外部の室内空気を吸入する。そして、前記吸入された室内空気は冷却ファン１６を通過し前記凝縮機に移動する。
【００２８】
ここで、前記循環ダクト１５に沿って凝縮機に移動した高温多湿の空気と、前記冷却ファン１６により吸入されコンデンサーに移動した室内空気が互いに交差しながら前記凝縮機を通過する。そして、前記高温多湿の空気と前記室内空気は前記凝縮機の形状により互いに混合されず熱交換だけが起こることになる。
【００２９】
従って、前記高温多湿の空気は前記凝縮機を通過しながら前記室内空気に熱を奪われ低温多湿の空気に変化する。そして、温度が低くなりながら空気中に含まれている水分が凝縮され前記凝縮機の底に落ち、凝縮水が集まるサンプ（図示せず）に移動する。
【００３０】
また、前記サンプに移動した水分は凝縮ポンプ（図示せず）により乾燥機上部に位置する凝縮水貯蔵庫（図示せず）に移動する。
【００３１】
一方、前記凝縮機を通過する室内空気は前記高温多湿の空気の熱を奪い温度が高くなる。
【００３２】
図２は本発明の思想に係るドラム支持構造を具備するドラムの背面斜視図である。
【００３３】
図２を参照すれば、本発明に係るドラム支持構造を具備するドラム１００の背面はドラム後壁１１０と、前記ドラム後壁１１０の中央に部着されるドラム支持部２００を含む。
【００３４】
詳しくは、前記ドラム後壁１１０は、乾燥ダクト１９から入ってくる高温乾燥の空気を前記ドラム１００内に流入させるために形成される多数の循環空気通孔１２０と、中心部に陥没形成され前記ドラム支持部２００が安着されるためのドラム支持部安着溝１４０（図３参照）を含む。ここで、前記ドラム支持部２００は上ハウジング２１０と下ハウジング２２０とからなるハウジング３００と、前記ハウジング３００内に挿入され前記ドラム１００を支持するジャーナルベアリング４００を含む。
【００３５】
より詳しくは、前記ドラム後壁１１０は、縁から内側に所定距離離れた位置から中心方向へ所定の深さで陥没する。そして、前記循環空気通孔１２０が形成される部分はまた所定の高さで突出する。従って、前記ドラム後壁１１０は縁部分と前記循環空気通孔１２０が形成される部分の高さがほぼ同一になる。そして、前記ドラム後壁１１０は。前記循環空気通孔１２０が形成されず前記循環空気通孔１２０の形成部分より低く形成される荷重支持面１３０を含む。ここで、前記荷重支持面１３０は前記ドラム後壁１１０の中央から放射状に形成され、前記ドラム後壁１１０を多数の部分に区画する。
【００３６】
一方、前記ドラム１００及びドラム１００内部に収容される洗濯物の荷重は前記ドラム１００の前面部と後側に装着される前記ジャーナルベアリング部２００に伝達される。そして、前記ジャーナルベアリング部２００に伝達される荷重はまた前記ドラム後壁１１０の荷重支持面１３０に沿って分散される。
【００３７】
前記のように、前記ドラム後壁１１０には多数の循環空気通孔１２０が開けてあり、前記ドラム後壁１１０が前記ドラム１００の重さに相当する荷重を受けると形状が変形され得るので、これを防止するため荷重支持面１３０が形成される。従って、前記荷重支持面１３０は前記ドラム後壁１１０に伝達される荷重を分散させ、また、前記ドラム後壁１１０の形状を維持させる機能をする。
【００３８】
さらに、前記荷重支持面１３０により分散される荷重がドラム後壁１１０の全体面積に均一に分布されるように、前記荷重支持面１３０は互いに同一な間隔になる角度で形成される。好ましくは、それぞれの荷重支持面１３０が概略１２０度の間隔を維持することができる。
【００３９】
図３は本発明の思想に係るドラム支持部を構成する下ハウジングがドラム後壁に装着された様子を示す部分斜視図である。
【００４０】
図３を参照すれば、本発明に係るドラム支持部を構成する下ハウジング２１０は前記ドラム後壁１１０の中心部に形成されるドラム支持部安着溝１４０に装着される。そして、前記下ハウジング２１０は上ハウジング２２０と結合され、内部にジャーナルベアリング４００が挿入され前記ドラム１００が乾燥機の後面に支持される。
【００４１】
詳しくは、前記下ハウジング２１０は概略円形の下ハウジングボディー２１７と、前記下ハウジングボディー２１７の中心部分が所定の高さで突出するベアリング安着部２１５と、前記ベアリング安着部２１５から放射状に延長され上ハウジング２２０と結合する上ハウジング締結端２１２と、前記下ハウジングボディー２１７の外郭に形成され前記ドラム後壁１１０と結合するようにする下ハウジング締結部材２１１を含む。
【００４２】
より詳しくは、前記ベアリング安着部２１５は、前記ジャーナルベアリング４００が収容されるように上部面が所定の深さで陥没する。そして、前記下ハウジング締結部材２１１により前記下ハウジング２１０と前記ドラム後壁１１０がリベット結合する。これにより、前記下ハウジング２１０と前記ドラム後壁１１０を結合する締結部材が前記ドラム１００内部に突出し乾燥対象物が損傷する現象が防止される。しかし、前記下ハウジング２１０と前記ドラム後壁１１０の結合は本発明の実施例であるリベット結合に制限されないことをはっきり示す。
【００４３】
さらに、前記上ハウジング締結端２１２は前記下ハウジングボディー２１７から折り曲げられ所定の高さで突出する。従って、前記上ハウジング締結端２１２を貫通する締結部材が前記ドラム後壁１１０と干渉される現象が防止される。また、前記上ハウジング締結端２１２の先端が前記下ハウジングボディー２１７の外周面から放射状にもっと延長されても前記ドラム後壁１１０と干渉されない長所がある。
【００４４】
なお、前記上ハウジング締結端２１２は荷重支持端１３０と同一線上に位置するように形成される。そして、前記上ハウジング締結端２１２の上部面には前記上ハウジング２２０と結合するようにする締結部材が挿入されるための締結孔２１４が形成される。そして、前記締結孔２１４から所定距離離れたところに前記上ハウジング２２０に突出形成された仮締結突起２２３（図５参照）が挿入される仮締結突起挿入孔２１３が形成される。詳しくは、前記上ハウジング２２０と下ハウジング２１０を結合する締結部材が挿入される前に前記仮締結突起２２３が前記仮締結突起挿入孔２１３に挿入されることで、前記締結部材が容易に挿入される長所がある。
【００４５】
なお、前記ベアリング安着部２１５の上部面に形成される陥没部外側にはインナーシール２３０（図５参照）が安着するためのインナーシール接触面２１６が形成される。そして、前記陥没部には潤滑油が塗布され前記陥没部に収容されるジャーナルベアリング４００表面との接触による摩擦力を低減させる機能をする。
【００４６】
図４は本発明の思想に係るドラム支持部を構成する上ハウジングの正面斜視図であり、図５は前記上ハウジングの背面斜視図である。
【００４７】
図４及び図５を参照すれば、本発明に係る上ハウジング２２０は前述のように前記下ハウジング２１０の上部に安着結合する。
【００４８】
詳しくは、前記上ハウジング２２０は上ハウジングのボディー２２７と、前記上ハウジングボディー２２７の概略中心部に所定の深さで陥没し前記インナーシール２３０が収容されるインナーシール安着部２２６と、前記インナーシール安着部２２６の内側に所定の深さでもっと陥没しジャーナルベアリング４００が安着するベアリング収容部２２２と、前記ベアリング収容部２２２の上部面から所定の長さで延長される円筒状の支持スーリブ２２５を含む。
【００４９】
より詳しくは、前記ベアリング収容部２２２は前記ジャーナルベアリング４００の先端に装着される球状のベアリング４１０（図６参照）と同一な曲率で湾曲される。そして、前記支持スリーブ２２５の内側には前記ジャーナルベアリング４００のシャフト４２０（図６参照）が貫通する。
【００５０】
さらに、上ハウジングボディー２２７は前記下ハウジング２１０の上ハウジング締結端２１２と触れ合う部分の端部がより長く形成される。従って、前記上ハウジングボディー２２７は概略三角形状になる。ここで、前記上ハウジング締結端２１２の個数により前記上ハウジングボディー２２７の形状が変更されるのは本発明の思想から明らかになる。そして、前記上ハウジングボディー２２７の端部、即ち前記下ハウジング２１０の上ハウジング締結端２１２に形成される締結孔２１４の直下方に形成され、締結部材が貫通できるようにする締結孔２２４が少なくとも一つ以上形成される。
【００５１】
また、前記上ハウジング２２０は背面に所定の長さで突出し前記下ハウジング２１０の仮締結突起挿入孔２１３に挿まれる仮締結突起２２３がさらに形成される。詳しくは、前記仮締結特記２２３は前記締結孔２４から所定距離離れた位置に形成される。従って、前記下ハウジング２１０の締結孔２１４と前記仮締結突起挿入孔２１３の形成位置と前記上ハウジング２２０の締結孔２２４と仮締結突起２２３は同一位置に形成されることが分かる。そして、前記仮締結特記２２３は少なくとも二つ以上形成され、前記上ハウジング２２０が前記下ハウジング２１０に仮締結された状態で揺れないようにするのが好ましい。そして、前記下ハウジング２１０に形成される仮締結突起挿入孔２１３は前記上ハウジング締結端２１２全体に形成され、前記上ハウジング２２０がどの位置に安着しても前記仮締結突起２２３が前記仮締結突起挿入孔２１３に挿入できるようにする。
【００５２】
また他の実施例として、前記仮締結突起２２３が前記下ハウジング２１０に形成され、前記仮締結突起２２３が挿入されるための挿入孔が前記上ハウジング２２０に形成されることができる。
【００５３】
また、前記上ハウジング２２０の内側に形成される前記インナーシール安着部２２６には丸形のインナーシール２３０が安着する。詳しくは、前記インナーシール２３０が前記上ハウジング２２０の内側に安着することで、前記ベアリング収容部２２２に塗布されている潤滑油が外部に漏れる現象を防止できる。そして、前記インナーシール２３０は前記ハウジング３００に内面に塗布される潤滑剤の漏れを防止すると共に摩擦による騒音を用意に吸収できるフェルト素材が好ましい。
【００５４】
図６は本発明の思想に係るドラム支持部を構成するジャーナルベアリングを示す斜視図である。
【００５５】
図６を参照すれば、本発明に係るジャーナルベアリング４００は、前記ハウジング３００内に収容される球状のベアリング４１０と、前記ベアリング４１０から延長され乾燥機の後面を貫通するシャフト４２０を含む。
【００５６】
詳しくは、前記ベアリング４１０は外周面に多数のオイルグルーブ４１１が形成され、潤滑油を前記ベアリング４１０と前記ハウジング３００内周面にもれなく分布させる。そして、前記オイルグルーブ４１１は前記シャフト４２０の軸方向に形成され、前記上ハウジング２２０の内周面と前記下ハウジング２１０の内周面に塗布される潤滑油が円滑に移動できるようにする。
【００５７】
一方、前記ベアリング４１０の端部は前記シャフト４２０の中心軸と直交する方向に切断される。従って、前記ベアリング４１０が前記下ハウジング２１０のベアリング安着部２１５に安着すると、前記ベアリング４１０の底面と前記ベアリング安着部２１５との間には所定の空間が形成される。そして、前記オイルグルーブ４１１上に付いている潤滑油が前記オイルグルーブ４１１に沿って流れ落ち前記空間に集まる。そして、前記ドラム１００が回転する間潤滑剤は前記空間と前記オイルグルーブ４１１に沿って流れながら、前記ベアリング４１０全面に塗布される。
【００５８】
また、前記ジャーナルベアリング４００のシャフト４２０は、前記ベアリング４１０中心部に挿入され、一部分が外部に露出されるシャフトボディー４２１と、前記シャフトボディー４２１の端部から所定の長さで延長され、外周面にネジ山が形成されるバッグカバー締結部４２２を含む。
【００５９】
詳しくは、前記シャフトボディー４２１は外周面に金型を付けインサート射出方式により前記ベアリング４１０と結合される。そして、前記ベアリング４１０の外周面に所定の長さで露出されるシャフトボディー４２１部分は、前記ジャーナルベアリング４００がハウジング３００と結合すると、前記ハウジング２２０の支持スリーブ２２５内に挿入される。従って、前記シャフトボディー４２１の突出した端部は前記支持スリーブ２２５により支持される。
【００６０】
また、前記バッグカバー締結部４２２は前記上ハウジング２２０の支持スリーブ２２５を貫通し乾燥機の後面を形成するバッグカバー（図示せず）に貫通結合する。そして、バッグカバー締結部４２２は前記バッグカバーを貫通して外部に突出し、前記突出部分にナットが挿まれ、前記ドラム１００の後側が前記バッグカバーにより支持される。
【００６１】
図７は本発明の思想に係るドラム支持部を構成するアウターシールを示す外部斜視図であり、図８は前記アウターシールの内部斜視図である。
【００６２】
図７及び図８を参照すれば、本発明に係るアウターシール５００は前記上ハウジング２２０の支持スリーブ２２５外周面に挿入される。
【００６３】
詳しくは、前記アウターシール５００の内径は前記支持スリーブ２２５の外径と同一に形成され、前記ハウジング３００内の潤滑油が前記シャフト４１０の外周面に沿って漏れ、前記上ハウジング２２０の外部に流れ落ちる現象を防止する機能をする。
【００６４】
さらに、前記アウターシール５００は内部の金属素材の原型６００（図９参照）にゴム素材のシーリング部材をインサート射出により被らせる。従って、前記アウターシール５００は内部に形成される金属素材の原型による形状変更の発生を防止する。
【００６５】
また、前記潤滑剤が前記シャフト４１０の外周面に沿って漏れることを防止するため、前記アウターシール５００の内側には二重幕が形成される。
【００６６】
詳しくは、前記二重幕は前記アウターシール５００の内側に形成される内部幕５１０と、前記内部幕５１０の外側に形成され前記アウターシール５００の外周面を成す外部幕５２０を含む。そして、前記二重幕の内側には前記ジャーナルベアリング４００のバッグカバー締結部４２２が貫通するバッグカバー締結部貫通溝５３０が形成される。より詳しくは、前記内部幕５１０と外部幕５２０の端部は前記バッグカバー締結部４２２の外周面を包んで、潤滑油が前記バッグカバー締結部４２２の外周面に沿って漏れる現象を防止する。そして、前記内部幕５１０と外部幕５２０が層を形成することで、潤滑オイルが外部に漏れることを二重に遮断することになる。
【００６７】
図９は図２のＩ−Ｉ´に沿って切開される断面図である。
【００６８】
図９を参照すれば、本発明に係るドラム支持部２００は、前記ドラム後壁１１０の中心部に形成される前記ドラム支持部安着溝１４０に装着される。
【００６９】
詳しくは、前記ドラム支持部安着溝１４０に前記下ハウジング２１０がリベット結合により締結し、前記下ハウジング２１０のベアリング安着部２１５に前記ジャーナルベアリング４００のベアリング４１０が安着する。そして、前記上ハウジング２２０が前記ジャーナルベアリング４００のシャフト４２０に挿まれ、前記下ハウジング２１０の上部面に安着する。そして、前記上ハウジング２２０と前記下ハウジング２１０は締結部材６１０により結合する。そして、前記上ハウジング２２０の上部面、即ち前記支持スリーブ２２５の外周面にアウターシール５００が安着する。そして、前記ジャーナルベアリング４００のバッグカバー締結部４２２は乾燥機のバッグカバーを貫通し、外周面にナット部材が挿入され、前記シャフト４２０が前記バッグカバーに支持されるようにする。
【００７０】
一方、前記ドラム１００が回転すれば、前記ドラム後壁１１０と締結した前記ハウジング３００と前記アウターシール５００が共に回転することになる。しかし、前記バッグカバーに結合した前記ジャーナルベアリング４００は回転せず固定状態を維持する。従って、前記ドラム１００が回転すれば前記上ハウジング２２０のベアリング収容部２２２内周面と前記ベアリング４１０の外周面が摩擦を起こすようになる。そして、前記ベアリング収容部２２２内部に貯蔵された潤滑油が前記ベアリング収容部２２２の内周面及び前記ベアリング４１０の外周面を十分濡らすことで、摩擦力による熱発生が減少する効果がある。
【図面の簡単な説明】
【００７１】
【図１】本発明の思想に係る凝縮式ドラム乾燥機を概略的に示す断面図。
【図２】本発明の思想に係るドラム支持構造を具備するドラムの背面斜視図。
【図３】本発明の思想に係るドラム支持部を構成する下ハウジングがドラム後壁に装着された様子を示す部分斜視図。
【図４】本発明の思想に係るドラム支持部を構成する上ハウジングの正面斜視図。
【図５】前記上ハウジングの背面斜視図。
【図６】本発明の思想に係るドラム支持部を構成するジャーナルベアリングを示す斜視図。
【図７】本発明の思想に係るドラム支持部を構成するアウターシールを示す外部斜視図。
【図８】前記アウターシールの内部斜視図。
【図９】図２のＩ−Ｉ′に沿って切開された断面図。
【符号の説明】
【００７２】
１００：乾燥ドラム
１１０：ドラム後壁
２００：ドラム支持部
３００：ハウジング
４００：ジャーナルベアリング
５００：アウターシール
【図１】
0004792218.tif 000002
【図２】
0004792218.tif 000003
【図３】
0004792218.tif 000004
【図４】
0004792218.tif 000005
【図５】
0004792218.tif 000006
【図６】
0004792218.tif 000007
【図７】
0004792218.tif 000008
【図８】
0004792218.tif 000009
【図９】
0004792218.tif 000010